(57)【要約】【課題】半導体素子の動作により発生する熱を効率的に放出することを可能としつつ、大幅な省スペース化を可能とする、複数の半導体素子を備えた半導体装置およびその製造方法を提供する。【解決手段】半導体装置１は、ヒートシンク２０と、ヒートシンク２０の両側の主面である第１主面２０Ａおよび第２主面２０Ｂ上のそれぞれに搭載された半導体素子としてのトランジスタ１０と、トランジスタ１０を外部と電気的に接続するリードフレーム５０とを備えている。【選択図】図４
2009010210.tif 000002
【特許請求の範囲】
【請求項１】
ヒートシンクと、
前記ヒートシンクの両側の主面上のそれぞれに搭載された半導体素子と、
前記半導体素子を外部と電気的に接続するリードフレームとを備えた、半導体装置。
【請求項２】
前記半導体素子を取り囲んで封止することにより、前記半導体素子と外部との間を絶縁する絶縁性封止剤と、
前記絶縁性封止剤よりも熱伝導率の高い素材からなり、前記ヒートシンクと前記半導体素子との間に配置され、前記絶縁性封止材から少なくともその一部が露出する高熱伝導性絶縁部材とをさらに備えた、請求項１に記載の半導体装置。
【請求項３】
前記リードフレームは、前記ヒートシンクよりも外側に突出し、
前記ヒートシンクは、前記リードフレームが突出する方向とは異なった方向に、前記高熱伝導性絶縁部材よりも突出する突出部を含んでいる、請求項２に記載の半導体装置。
【請求項４】
リードフレームを準備する工程と、
前記リードフレームと半導体素子とを接続し、半導体部品を複数作成する工程と、
前記半導体部品を、ヒートシンクの両側の主面上に搭載する工程とを備えた、半導体装置の製造方法。
【発明の詳細な説明】
【技術分野】
【０００１】
本発明は半導体装置およびその製造方法に関し、より特定的には、複数の半導体素子を備えた半導体装置およびその製造方法に関する。
【背景技術】
【０００２】
パワーデバイスなどの半導体素子を含む半導体装置の分野においては、単一の半導体素子がパッケージ化されたディスクリートパッケージ型の半導体装置が主流である。当該分野においては、半導体装置が使用される機器の高性能化に伴い、半導体素子の動作の高速化が進められている。その結果、半導体素子の動作により発生する熱を効率よく外部に放出することが必要となっている。
【０００３】
一方、半導体装置が使用される機器の小型化、薄型化の進行に伴い、半導体装置に対しても小型化、薄型化などの省スペース化の要求がある。このような要求に対応して、半導体装置においては、表面実装型の半導体装置（ＳＭＤ；Ｓｕｒｆａｃｅ  Ｍｏｕｎｔ  Ｄｅｖｉｃｅ）が採用されている。
【０００４】
ディスクリートパッケージ型の半導体装置においては、効率よく熱を放出することを目的として、たとえば大面積のヒートシンクを備えたもの、熱伝導性の高い絶縁材料を利用するもの等が採用されている。しかし、上述のような省スペース化の要求への対応を目的として半導体素子同士が近接して配置される必要がある場合であっても、ディスクリートパッケージ型の半導体装置同士の間には、所定の間隔が必要である。そのため、省スペース化に限界があるという問題がある。また、ディスクリートパッケージ型の半導体装置同士の間に、絶縁性の樹脂を配置して半導体装置同士の間隔を減少させ、省スペース化を達成することも可能である。しかし、この構成では、製造工程が煩雑になり、半導体装置の製造コストが上昇するという問題が発生する。
【０００５】
これに対し、複数の半導体素子が平面的に隣接して配置され、パッケージ化された半導体装置（小型モジュールパッケージ）が採用される場合がある（たとえば特許文献１参照）。これにより、半導体素子同士の間隔を減少させ、省スペース化を達成することができる。
【０００６】
以下、小型モジュールパッケージが採用された半導体装置の一例について説明する。図１７は、小型モジュールパッケージが採用された従来の半導体装置の構成の一例を示す概略平面図である。図１７を参照して、小型モジュールパッケージが採用された従来の半導体装置１００は、板状のヒートシンク１２０と、ヒートシンク１２０上に配置されたリードフレーム１５０と、リードフレーム１５０上に配置され、リードフレームと電気的に接続された４つの半導体素子としてのトランジスタ１１０とを備えている。そして、リードフレーム１５０は、外部端子を含んでいる。以上の構成により、４つのトランジスタ１１０が外部と電気的に接続されるとともに、半導体装置１００の省スペース化が可能となる。
【特許文献１】国際公開第ＷＯ９８／２４１２２号パンフレット
【発明の開示】
【発明が解決しようとする課題】
【０００７】
しかしながら、図１７を参照して、半導体装置１００のように、複数のトランジスタ１１０が平面的に並べて配置された半導体装置の構成では、半導体装置１００の平面形状は、トランジスタ１１０が配置される面に対する各トランジスタ１１０の投影面積の合計値未満には縮小することはできず、大幅な省スペース化は難しいという問題がある。また、各トランジスタ１１０から発生した熱を外部に効率よく放出するためには、上記半導体装置１００の平面形状に対応した大面積のヒートシンク１２０が必要となり、省スペース化がさらに妨げられる。
【０００８】
そこで、本発明の目的は、半導体素子の動作により発生する熱を効率的に放出することを可能としつつ、大幅な省スペース化を可能とする、複数の半導体素子を備えた半導体装置およびその製造方法を提供することである。
【課題を解決するための手段】
【０００９】
本発明に従った半導体装置は、ヒートシンクと、ヒートシンクの両側の主面上のそれぞれに搭載された半導体素子と、半導体素子を外部と電気的に接続するリードフレームとを備えている。
【００１０】
本発明の半導体装置によれば、半導体素子がヒートシンク上に搭載されていることにより、半導体素子の動作により発生する熱を効率的に放出することが可能となる。また、半導体素子が、当該ヒートシンクの両側の主面上に搭載されていることにより、半導体装置の平面形状を大幅に小型化することができる。以上のように、本発明の半導体装置によれば、半導体素子の動作により発生する熱を効率的に放出することを可能としつつ、大幅な省スペース化を可能とする、複数の半導体素子を備えた半導体装置を提供することができる。
【００１１】
上記半導体装置において好ましくは、半導体素子を取り囲んで封止することにより、当該半導体素子と外部との間を絶縁する絶縁性封止剤と、絶縁性封止剤よりも熱伝導率の高い素材からなり、ヒートシンクと半導体素子との間に配置され、絶縁性封止材から少なくともその一部が露出する高熱伝導性絶縁部材とをさらに備えている。
【００１２】
これにより、絶縁性封止剤および高熱伝導性絶縁部材によって半導体素子と外部との間を絶縁しつつ、高熱伝導性絶縁部材を絶縁性封止剤から露出させることによって、半導体素子の動作により発生する熱を外部に効率よく放出することが可能となる。
【００１３】
上記半導体装置において好ましくは、リードフレームは、ヒートシンクよりも外側に突出し、ヒートシンクは、リードフレームが突出する方向とは異なった方向に、高熱伝導性絶縁部材よりも突出する突出部を含んでいる。
【００１４】
リードフレームがヒートシンクよりも外側に突出することにより、半導体装置を外部に電気的に接続することが容易となる。そして、ヒートシンクが、リードフレームが突出する方向とは異なった方向に、高熱伝導性絶縁部材よりも突出する突出部を含んでいることにより、ヒートシンクとリードフレームとが干渉することなく、ヒートシンクによる放熱の効率を向上させることができる。
【００１５】
本発明に従った半導体装置の製造方法は、リードフレームを準備する工程と、リードフレームと半導体素子とを接続し、半導体部品を複数作成する工程と、半導体部品を、ヒートシンクの両側の主面上に搭載する工程とを備えている。
【００１６】
本発明の半導体装置の製造方法によれば、半導体素子の動作により発生する熱を効率的に放出することを可能としつつ大幅な省スペース化を可能とする、複数の半導体素子を備えた半導体装置を、容易に製造することができる。
【発明の効果】
【００１７】
以上の説明から明らかなように、本発明の半導体装置およびその製造方法によれば、半導体素子の動作により発生する熱を効率的に放出することを可能としつつ、大幅な省スペース化を可能とする、複数の半導体素子を備えた半導体装置およびその製造方法を提供することができる。
【発明を実施するための最良の形態】
【００１８】
以下、図面に基づいて本発明の実施の形態を説明する。なお、以下の図面において同一または相当する部分には同一の参照番号を付しその説明は繰返さない。
【００１９】
図１は、本発明の一実施の形態における半導体装置が採用され得る回路装置の概略図である。図１を参照して、本実施の形態における回路装置の構成を説明する。
【００２０】
図１を参照して、本実施の形態における回路装置９は、交流電源Ｖｉｎと、４つのダイオードＤ１〜Ｄ４と、キャパシタＣと、４つの半導体素子としてのトランジスタ１０と、負荷Ｌとを備えている。ここで、４つのトランジスタ１０を含む図１における領域αを省スペース化する目的で、以下に説明する本発明の一実施の形態における半導体装置を採用することができる。
【００２１】
図２は、本発明の一実施の形態における半導体装置の上面の構成を示す概略平面図である。また、図３は、本発明の一実施の形態における半導体装置の下面の構成を示す概略平面図である。また、図４は、図２および図３における線分ＩＶ−ＩＶに沿う概略断面図である。また、図５は、図２および図３における線分Ｖ−Ｖに沿う概略断面図である。なお、図２〜図５においては、トランジスタが平面的に並べて設置される面に平行な面内において、トランジスタが並ぶ方向をＹ軸方向、Ｙ軸方向に垂直な方向をＸ軸方向、トランジスタが設置される面に垂直な方向をＺ軸方向として、当該方向が付記されている。以下、図２〜図５を参照して、本発明の一実施の形態における半導体装置を説明する。
【００２２】
図２〜図５を参照して、本実施の形態における半導体装置１は、ヒートシンク２０と、ヒートシンク２０の一方の主面である第１主面２０Ａおよび第１主面２０Ａとは反対側の主面である第２主面２０Ｂ上のそれぞれに配置された高熱伝導性絶縁部材４０と、各高熱伝導性絶縁部材４０上のそれぞれに配置されたリードフレーム５０と、各リードフレーム５０上のそれぞれに配置された半導体素子としてのトランジスタ１０とを備えている。
【００２３】
ヒートシンク２０は、熱伝導性の高い素材からなっており、たとえば銅（Ｃｕ）および／またはそれを含有した高熱伝導性金属材料、あるいは炭化珪素（ＳｉＣ）やダイヤモンドおよび／またはそれを含有した高熱伝導性セラミックス材料などを素材として採用することができる。また、高熱伝導性絶縁部材４０は絶縁性を有し、かつ後述する絶縁樹脂６０よりも熱伝導性の高い素材からなっており、たとえば窒化アルミニウム（ＡｌＮ）、ＳｉＣ、ダイヤモンド、および／またはそれを含有した高熱伝導性セラミックス材料などを素材として採用することができる。そして、ヒートシンク２０と高熱伝導性絶縁部材４０との間には、接合材料３０が配置され、この接合材料３０によりヒートシンク２０と高熱伝導性絶縁部材４０とは接合されている。接合材料３０としては、たとえば銀（Ａｇ）もしくは錫（Ｓｎ）を含有した金属系ろう材、導電性樹脂、導電性接着剤などを採用することができる。
【００２４】
リードフレーム５０は、導電性の高い素材からなっており、たとえば銅（Ｃｕ）および／またはそれを含有した高熱伝導性金属材料などを素材として採用することができる。そして、リードフレーム５０と高熱伝導性絶縁部材４０との間には、接合材料３０が配置され、この接合材料３０により高熱伝導性絶縁部材４０とリードフレーム５０とは接合されている。また、リードフレーム５０は、半導体装置１の外部と電気的に接続されるための接続部５１を含んでいる。
【００２５】
トランジスタ１０とリードフレーム５０との間には接合材料３０が配置され、この接合材料３０によりリードフレーム５０とトランジスタ１０とは接合されている。また、トランジスタ１０は、たとえばＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ；酸化膜電界効果トランジスタ）であり、ソースＳ、ゲートＧおよびドレインＤを含んでいる。そして、ソースＳ、ゲートＧおよびドレインＤのそれぞれが、導電性を有するワイヤ７０により、リードフレーム５０と電気的に接続されている。その結果、トランジスタ１０のそれぞれは、リードフレーム５０を介して外部と電気的に接続されている。
【００２６】
さらに、トランジスタ１０は、ヒートシンク２０の第１主面２０Ａおよび第２主面２０Ｂ上のそれぞれに複数個（本実施例では２個）配置されている。そして、ヒートシンク２０の第１主面２０Ａ上に配置された複数個（２個）のトランジスタ１０は、絶縁性封止剤としての一体の絶縁樹脂６０により取り囲まれ、外部との間が絶縁されている。さらに、ヒートシンク２０の第２主面２０Ｂ上に配置された複数個（２個）のトランジスタ１０も、同様に一体の絶縁樹脂６０により取り囲まれ、外部との間が絶縁されている。
【００２７】
高熱伝導性絶縁部材４０は、板状の形状を有しており、トランジスタ１０が配置される側の主面（ヒートシンク２０から遠い側の主面）である第１面４０Ａが、絶縁樹脂６０の内部に進入しているとともに、第１面４０Ａとは反対側の主面（ヒートシンク２０に近い側の主面）である第２面４０Ｂが、絶縁樹脂６０から露出している。
【００２８】
さらに、図２〜図５を参照して、リードフレーム５０は、接続部５１において、トランジスタ１０が平面的に並べて設置される面に平行な面内の、トランジスタが並ぶ方向であるＹ軸方向に交差（直交）する方向であるＸ軸方向において、ヒートシンク２０よりも外側（トランジスタ１０から離れる側）に突出している。また、半導体装置１は、回路基板としてのプリント基板８０上に搭載されて図１に示す回路装置９を構成する。半導体装置１がプリント基板８０上に搭載された状態において、リードフレーム５０の接続部５１は、トランジスタ１０から離れる側の端部において屈曲しており、その先端はプリント基板８０を貫通している。そして、リードフレーム５０の接続部５１とプリント基板８０とが交差する位置において、プリント基板８０上に形成された回路（図示しない）とリードフレーム５０とが電気的に接続されている。
【００２９】
すなわち、ヒートシンク２０の第１主面２０Ａ上に配置されたリードフレーム５０の接続部５１は、トランジスタ１０がその上に搭載される側とは反対側のＺ軸方向に沿った向きに屈曲し、第２主面２０Ｂ上に配置されたリードフレーム５０の接続部５１は、トランジスタ１０がその上に搭載される側のＺ軸方向に沿った向きに屈曲している。また、ヒートシンク２０の第１主面２０Ａ上に配置されたリードフレーム５０の接続部５１と、第２主面２０Ｂ上に配置されたリードフレーム５０の接続部５１とは、互いに反対向きにヒートシンク２０よりも外側に突出している。
【００３０】
一方、図２〜図５を参照して、ヒートシンク２０は、リードフレーム５０が突出する方向であるＸ軸方向とは異なった方向（直交する方向）であるＹ軸方向に、高熱伝導性絶縁部材４０および絶縁樹脂６０よりも外側に突出する突出部２１を含んでいる。そして、突出部２１は、Ｙ軸方向の端部において、第２主面２０Ｂ側のＺ軸方向に沿った向きに屈曲している。そして、半導体装置１がプリント基板８０上に搭載された状態において、その先端はプリント基板８０に接触している。
【００３１】
すなわち、本実施の形態における半導体装置１は、ヒートシンク２０と、ヒートシンク２０の両側の主面である第１主面２０Ａおよび第２主面２０Ｂ上のそれぞれに搭載された半導体素子としてのトランジスタ１０と、トランジスタ１０を外部と電気的に接続するリードフレーム５０とを備えている。さらに、半導体装置１は、トランジスタ１０を取り囲んで封止することにより、トランジスタ１０と外部との間を絶縁する絶縁性封止剤としての絶縁樹脂６０と、絶縁樹脂６０よりも熱伝導率の高い素材からなり、ヒートシンク２０とトランジスタ１０との間に配置され、絶縁樹脂６０から少なくともその一部が露出する高熱伝導性絶縁部材４０とを備えている。
【００３２】
そして、リードフレーム５０は、接続部５１においてヒートシンク２０よりも外側に突出し、ヒートシンク２０は、リードフレーム５０が突出する方向とは異なった方向に、高熱伝導性絶縁部材４０および絶縁樹脂６０よりも突出する突出部２１を含んでいる。
【００３３】
本実施の形態における半導体装置１によれば、トランジスタ１０がヒートシンク２０上に搭載されていることにより、トランジスタ１０の動作により発生する熱を効率的に放出することが可能となっている。また、トランジスタ１０が、ヒートシンク２０の両側の主面上に搭載されていることにより、半導体装置１が大幅に省スペース化されている。その結果、本実施の形態における半導体装置１は、トランジスタ１０の動作により発生する熱を効率的に放出することを可能としつつ、大幅な省スペース化を可能とする、複数のトランジスタ１０を備えた半導体装置となっている。
【００３４】
より具体的には、たとえば図１７に基づいて説明した従来の半導体装置と同じ平面形状が一辺２ｍｍの正方形である４つのトランジスタを含む半導体装置を作製した場合、図１７の従来の半導体装置では、当該半導体装置を搭載するために必要なスペースである搭載スペースが１１．８ｍｍ角相当（一辺の長さが１１．８ｍｍの正方形形状に相当）であるのに対し、本実施の形態における半導体装置１では搭載スペースを９．３ｍｍ角相当にまで省スペース化することができる。
【００３５】
さらに、半導体装置１においては、トランジスタ１０を取り囲んで封止することにより、トランジスタ１０と外部との間を絶縁する絶縁樹脂６０と、絶縁樹脂６０よりも熱伝導率の高い素材からなり、ヒートシンク２０とトランジスタ１０との間に配置され、絶縁樹脂６０から少なくともその一部が露出する高熱伝導性絶縁部材４０とを備えている。その結果、絶縁樹脂６０および高熱伝導性絶縁部材４０によってトランジスタ１０と外部との間を絶縁しつつ、高熱伝導性絶縁部材４０を絶縁樹脂６０から露出させることによって、トランジスタ１０の動作により発生する熱を外部に効率よく放出することが可能となっている。
【００３６】
さらに、半導体装置１においては、リードフレーム５０は、Ｘ軸方向においてヒートシンク２０よりも外側に突出し、ヒートシンク２０は、リードフレーム５０が突出するＸ軸方向とは異なった方向であるＹ軸方向に、高熱伝導性絶縁部材４０よりも突出する突出部２１を含んでいる。
【００３７】
その結果、リードフレーム５０がヒートシンク２０よりも外側に突出することにより、半導体装置１を外部に電気的に接続することが容易となっている。さらに、ヒートシンク２０が、リードフレーム５０が突出する方向とは異なった方向に、高熱伝導性絶縁部材４０よりも突出する突出部２１を含んでいることにより、ヒートシンク２０とリードフレーム５０とが干渉することなく、ヒートシンク２０による放熱の効率が向上している。
【００３８】
なお、上述のようにヒートシンク２０の第１主面２０Ａおよび第２主面２０Ｂ上のそれぞれに複数個のトランジスタが配置される場合、第１主面２０Ａ上に配置されるトランジスタ１０の動作時の発熱量の総和と、第２主面２０Ｂ上に配置されるトランジスタ１０の動作時の発熱量の総和との差が、最も小さくなるように、トランジスタ１０が配置されることが好ましい。より具体的には、第１主面２０Ａ上に配置されるトランジスタ１０の消費電力の総和と、第２主面２０Ｂ上に配置されるトランジスタ１０の消費電力の総和との差が、最も小さくなるように、トランジスタ１０が配置されていることが好ましい。これにより、トランジスタの動作により発生する熱を、一層効率よく外部に放出することができる。
【００３９】
次に、本発明の一実施の形態における半導体装置の製造方法として、半導体装置１の製造方法について説明する。図６は、本発明の一実施の形態における半導体装置の製造方法の概略を示す流れ図である。また、図７〜図１６は、本発明の一実施の形態における半導体装置の製造方法を説明するための概略断面図である。なお、図７〜図１６においては、図２〜図５と同様に、トランジスタが平面的に並べて設置される面に平行な面内において、トランジスタが並ぶ方向をＹ軸方向、Ｙ軸方向に垂直な方向をＸ軸方向、トランジスタが設置される面に垂直な方向をＺ軸方向として、当該方向が付記されている。
【００４０】
図６を参照して、本実施の形態における半導体装置の製造方法においては、まず、リードフレームが準備されるリードフレーム準備工程（Ｓ１１０）が実施される。具体的には、図７を参照して、導電性の高い素材である銅（Ｃｕ）および／またはそれを含有した高熱伝導性金属材料などを素材とする平板状のリードフレーム５０が準備される。
【００４１】
次に、図６を参照して、リードフレーム５０に対して高熱伝導性絶縁部材４０が接合される高熱伝導性絶縁部材接合工程（Ｓ１２０）が実施される。具体的には、図７を参照して、リードフレーム５０において、半導体素子としてのトランジスタ１０が搭載されるべき主面である第１面５０Ａとは反対側の主面である第２面５０Ｂ上に高熱伝導性絶縁部材４０が配置され、接合材料３０により接合される。
【００４２】
次に、図６を参照して、リードフレーム５０に半導体素子が接続される半導体素子接続工程（Ｓ１３０）が実施される。具体的には、図８を参照して、リードフレーム５０の第１面５０Ａ上に、半導体素子としてのトランジスタ１０が配置され、接合材料３０により接合される。その後、図９を参照して、トランジスタ１０の電極端子（ソース、ゲートおよびドレイン）とリードフレーム５０の外部端子である接続部５１とがワイヤ７０により接続される。ワイヤ７０によるトランジスタ１０とリードフレーム５０との接続は、たとえば超音波接合により実施することができる。
【００４３】
次に、図６を参照して、半導体素子としてのトランジスタ１０が封止される絶縁封止工程（Ｓ１４０）が実施される。具体的には、図１０を参照して、トランジスタ１０を内部に包含し、かつリードフレーム５０の接続部５１および高熱伝導性絶縁部材４０の第２面４０Ｂが外部に露出するように、絶縁樹脂６０が形成される。絶縁樹脂６０の形成は、たとえばトランスファーモールドにより実施することができる。
【００４４】
次に、リードフレーム５０が曲げ加工されるリードフレーム曲げ加工工程（Ｓ１５０）が実施される。具体的には、図１１を参照して、リードフレーム５０の接続部５１が、トランジスタ１０がその上に搭載される側とは反対側（第２面５０Ｂ側）に屈曲するように、すなわち高熱伝導性絶縁部材４０に近づく側に、絶縁樹脂６０から露出する領域の途中で曲げ加工される。以上の工程により、半導体部品としての上側部品２が完成する。
【００４５】
一方、上記工程（Ｓ１１０）〜（Ｓ１５０）とは別に、工程（Ｓ１１０）〜（Ｓ１４０）と同様の工程が実施された後、（Ｓ１５０）において、図１２に示すように、リードフレーム５０の接続部５１が、トランジスタ１０がその上に搭載される側（第１面５０Ａ側）に屈曲するように、すなわち高熱伝導性絶縁部材４０から離れる側（上側部品２において接続部５１が屈曲する側とは反対側）に、絶縁樹脂６０から露出する領域の途中で曲げ加工される。以上の工程により、半導体部品としての下側部品３が完成する。
【００４６】
さらに、図６を参照して、上記工程（Ｓ１１０）〜（Ｓ１５０）による上側部品２および下側部品３の作製とは別に、板状のヒートシンク２０が準備されるヒートシンク準備工程（Ｓ２１０）が実施される。具体的には、図１３を参照して、熱伝導性の高い素材である銅（Ｃｕ）および／またはそれを含有した高熱伝導性金属材料、あるいはＳｉＣやダイヤモンドおよび／またはそれを含有した高熱伝導性セラミックス材料などを素材とする板状のヒートシンク２０が準備される。
【００４７】
次に、図６を参照して、ヒートシンク２０が曲げ加工されるヒートシンク曲げ加工工程（Ｓ２２０）が実施される。具体的には、図１４を参照して、板状のヒートシンク２０の両端が曲げ加工されることにより、主面に垂直な断面における形状がコの字型になるように、ヒートシンク２０が成形される。より具体的には、平面形状が四角形である板状のヒートシンク２０が工程（Ｓ２１０）において準備され、工程（Ｓ２２０）において、四角形の４つの辺のうち向かい合う２つの辺が互いに近づくように両端が曲げ加工されることにより、主面に垂直な断面における形状がコの字型であるヒートシンク２０が作製される。
【００４８】
次に、図６を参照して、工程（Ｓ１１０）〜（Ｓ１５０）において作製された上側部品２および下側部品３が、工程（Ｓ２１０）〜（Ｓ２２０）において作製されたヒートシンク２０の両側の主面上に搭載される半導体部品搭載工程が実施される。具体的には、図１５を参照して、まず、下側部品３およびヒートシンク２０を保持するための保持治具９０が準備される。保持治具９０は、たとえば板状の形状を有しており、下側部品３およびヒートシンク２０を保持するための保持部として、リードフレーム５０の接続部５１およびヒートシンク２０の突出部２１が挿入される貫通孔９１を備えている。そして、下側部品３は、保持治具９０上に載置され、接続部５１が貫通孔９１に挿入されることにより、保持治具９０により保持される。このとき、下側部品３は、トランジスタ１０から見て接合材料３０を介してリードフレーム５０に固定される側とは反対側の面が保持治具９０に対向するように保持治具９０上に載置される。その結果、高熱伝導性絶縁部材４０において、絶縁樹脂６０から露出している面である第２面４０Ｂが保持治具９０とは反対側となるように、下側部品３が保持治具９０により保持される。
【００４９】
次に、高熱伝導性絶縁部材４０の第２面４０Ｂ上に接合材料３０が載せられた後、ヒートシンク２０の、工程（Ｓ２２０）で曲げ加工されなかった領域である中央部２２において、突出部２１の両端に面する側の面である第２主面２０Ｂと、高熱伝導性絶縁部材４０の第２面４０Ｂとが接合材料３０を挟んで対向するように、下側部品３上にヒートシンク２０が載置される。その結果、下側部品３とヒートシンク２０とは、第２主面２０Ｂと高熱伝導性絶縁部材４０の第２面４０Ｂとにおいて、接合材料３０により接合される。このとき、ヒートシンク２０の突出部２１の先端の中央同士を結ぶ直線と、リードフレーム５０の接続部５１が突出する方向を含む直線とが平面的に見て交差するように、ヒートシンク２０は下側部品３上に載置され、下側部品３と接合される。その結果、下側部品３のリードフレーム５０は、接続部５１においてヒートシンク２０よりも外側に突出し、かつヒートシンク２０は、突出部２１において、リードフレーム５０の接続部５１が突出する方向とは異なった方向に、高熱伝導性絶縁部材４０および絶縁樹脂６０よりも突出する。
【００５０】
次に、図１６を参照して、ヒートシンク２０の第１主面２０Ａ上に接合材料３０が載せられた後、ヒートシンク２０の第１主面２０Ａと、上側部品２の高熱伝導性絶縁部材４０の第２面４０Ｂとが接合材料３０を挟んで対向するように、ヒートシンク２０上に上側部品２が載置される。その結果、上側部品２とヒートシンク２０とは、第１主面２０Ａと高熱伝導性絶縁部材４０の第２面４０Ｂとにおいて、接合材料３０により接合される。このとき、ヒートシンク２０の突出部２１の先端の中央同士を結ぶ直線と、リードフレーム５０の接続部５１が突出する方向を含む直線とが平面的に見て交差し、かつ上側部品２の接続部５１と下側部品３の接続部５１とは反対側に突出するように、上側部品２はヒートシンク２０上に載置され、ヒートシンク２０と接合される。その結果、上側部品２のリードフレーム５０は、接続部５１においてヒートシンク２０よりも外側に突出し、かつヒートシンク２０は、突出部２１において、リードフレーム５０の接続部５１が突出する方向とは異なった方向に、高熱伝導性絶縁部材４０および絶縁樹脂６０よりも突出する。
【００５１】
以上の工程により作製された半導体装置１が保持治具９０から取り外されることにより、本実施の形態における半導体装置の製造方法は完了し、半導体装置１が得られる。
【００５２】
上記本実施の形態における半導体装置の製造方法によれば、トランジスタ１０の動作により発生する熱を効率的に放出することを可能としつつ、大幅な省スペース化を可能とする、複数のトランジスタ１０を備えた半導体装置１を容易に製造することができる。
【００５３】
なお、上記実施の形態においては、半導体装置に搭載される半導体素子がトランジスタである場合について説明したが、本発明の半導体装置はこれに限られない。本発明の半導体装置においては、上記トランジスタのほか、ダイオード（ＰＮダイオード、ショットキーバリアダイオードなど）、サイリスタなどの半導体素子が搭載されてもよい。また、上記実施の形態においては、リードフレームとヒートシンクとが平面的に見て直交する方向に突出する場合について説明したが、本発明の半導体装置はこれに限られず、リードフレームとヒートシンクとが干渉しないように、両者が平面的に見て交差する方向に突出していればよい。
【００５４】
今回開示された実施の形態はすべての点で例示であって、制限的なものではないと考えられるべきである。本発明の範囲は上記した説明ではなくて特許請求の範囲によって示され、特許請求の範囲と均等の意味、および範囲内でのすべての変更が含まれることが意図される。
【産業上の利用可能性】
【００５５】
本発明の半導体装置およびその製造方法は、複数の半導体素子を備えた半導体装置およびその製造方法に、特に有利に適用され得る。
【図面の簡単な説明】
【００５６】
【図１】本発明の一実施の形態における半導体装置が採用され得る回路装置の概略図である。
【図２】本発明の一実施の形態における半導体装置の上面の構成を示す概略平面図である。
【図３】本発明の一実施の形態における半導体装置の下面の構成を示す概略平面図である。
【図４】図２および図３における線分ＩＶ−ＩＶに沿う概略断面図である。
【図５】図２および図３における線分Ｖ−Ｖに沿う概略断面図である。
【図６】本発明の一実施の形態における半導体装置の製造方法の概略を示す流れ図である。
【図７】本発明の一実施の形態における半導体装置の製造方法を説明するための概略断面図である。
【図８】本発明の一実施の形態における半導体装置の製造方法を説明するための概略断面図である。
【図９】本発明の一実施の形態における半導体装置の製造方法を説明するための概略断面図である。
【図１０】本発明の一実施の形態における半導体装置の製造方法を説明するための概略断面図である。
【図１１】本発明の一実施の形態における半導体装置の製造方法を説明するための概略断面図である。
【図１２】本発明の一実施の形態における半導体装置の製造方法を説明するための概略断面図である。
【図１３】本発明の一実施の形態における半導体装置の製造方法を説明するための概略断面図である。
【図１４】本発明の一実施の形態における半導体装置の製造方法を説明するための概略断面図である。
【図１５】本発明の一実施の形態における半導体装置の製造方法を説明するための概略断面図である。
【図１６】本発明の一実施の形態における半導体装置の製造方法を説明するための概略断面図である。
【図１７】小型モジュールパッケージが採用された従来の半導体装置の構成の一例を示す概略平面図である。
【符号の説明】
【００５７】
１  半導体装置、２  上側部品、３  下側部品、９  回路装置、１０  トランジスタ、２０  ヒートシンク、２０Ａ  第１主面、２０Ｂ  第２主面、２１  突出部、２２  中央部、３０  接合材料、４０  高熱伝導性絶縁部材、４０Ａ  第１面、４０Ｂ  第２面、５０  リードフレーム、５０Ａ  第１面、５０Ｂ  第２面、５１  接続部、６０  絶縁樹脂、７０  ワイヤ、８０  プリント基板、９０  保持治具、９１  貫通孔。
【図１】
2009010210.tif 000003
【図２】
2009010210.tif 000004
【図３】
2009010210.tif 000005
【図４】
2009010210.tif 000006
【図５】
2009010210.tif 000007
【図６】
2009010210.tif 000008
【図７】
2009010210.tif 000009
【図８】
2009010210.tif 000010
【図９】
2009010210.tif 000011
【図１０】
2009010210.tif 000012
【図１１】
2009010210.tif 000013
【図１２】
2009010210.tif 000014
【図１３】
2009010210.tif 000015
【図１４】
2009010210.tif 000016
【図１５】
2009010210.tif 000017
【図１６】
2009010210.tif 000018
【図１７】
2009010210.tif 000019